(57)【要約】【課題】本発明は馬目地様のブロック調模様の基調を崩すことなく、適度の変化を付して面白味のある模様を建築板に付することを課題とする。【解決手段】横目地溝３の複数条で複数段の段部２を画定し、各段部２に凸ブロック５の複数個を縦目地溝４を介して配列した馬目地調のブロック調模様の基調を維持しつゝ１段おきの縦目地溝４の位置を縦軸上に重ならないようにランダムにずらす。【選択図】  図３
2004300707.tif 000002
【特許請求の範囲】
【請求項１】
表面に複数条の横目地溝を所定の間隔で設けて画定した複数段の段部のおのおのに縦目地溝を介して複数個の凸ブロックを配列し、各段部において該縦目地溝が上側および／または下側の段部の縦目地溝と相互連続しないように相互位置をずらし、かつ上側の段部および／または下側の段部に配列されている各凸ブロックの横巾の範囲内には該縦目地溝を１条のみ割当てた馬目地様のブロック調模様を有する建築板であって、１段おきの縦目地溝の位置を縦軸上に重ならないようにランダムにずらしたことを特徴とする建築板。
【請求項２】
該凸ブロックの横巾を基準巾Ｌ、基準巾より若干小さい巾の一種または二種以上、基準巾より若干大きい巾の一種または二種以上に設定し、該段部の縦巾を基準巾Ｗ、基準巾より若干小さい巾の一種または二種以上、基準巾より若干大きい巾の一種または二種以上に設定した請求項１に記載の建築板。
【請求項３】
上記１段おきの縦目地溝の各縦列における縦目地溝間の最大距離である位置ずれ量は、上記凸ブロックの横巾の基準巾の２０％以内とされる請求項１または２に記載の建築板。
【請求項４】
各段について該凸ブロックの横巾の異なるものを混在せしめ、かつ同じ縦巾の段部が上下に相接しないように設定した請求項１〜３に記載の建築板。
【請求項５】
該凸ブロック上面には数種類の表面様式が与えられている請求項１〜４に記載の建築板。
【発明の詳細な説明】
【０００１】
【発明の属する技術分野】
本発明は、例えば外壁材として使用される建築板に関するものである。
【０００２】
【従来の技術】
従来から例えば図６に示すように複数条の横目地溝（１３）を所定の間隔で設けて画定された各段部（１２）に複数条の縦溝（１４）を介して複数個の凸ブロック（１５）を配列し、各段の縦溝（１４）は上下相互に重ならないよう互い違いにされているいわゆる馬目地様のれんが調模様が表面に付された建築板（１１）が提供されている（例えば特許文献１および特許文献２参照）。
【０００３】
【特許文献１】
実開昭５６−１１２３２１号のマイクロフィルム。
【特許文献２】
特開２００２−３８６９１号公報。
【０００４】
【発明が解決しようとする課題】
上記従来の建築板の馬目地様模様にあっては、横巾と、縦巾との略同一の凸ブロックが配置されており、模様が整然とした感じになって、面白味に欠け、単調な固い印象を与える、と云う問題点があった。
しかし種々の横巾と縦巾とを有する凸ブロックをランダムに配置すれば、馬目地調が喪失してしまい、不規則になり過ぎて雑然とした感じになってしまう。また、エンボス型の設計、即ち図柄の設計が複雑になり、また目地溝もランダムに配置されるので、該目地溝を塗装する場合に図柄部分をインクジェットなどの塗装においては、塗装する部分をすべてコンピューターにデータとしてインプットしておかなければならず、そのデータ処理操作が煩雑になり、正確さに欠けると云う問題点がある。そのため、表面の図柄にある程度のランダム性があると共に、建築板の生産面から部分的には整合性がある図柄であることが望まれていた。
【０００５】
【課題を解決するための手段】
本発明は上記従来の課題を解決する手段として、表面に複数条の横目地溝（３）  を所定の間隔で設けて画定した複数段の段部（２）  のおのおのに縦目地溝（４）  を介して複数個の凸ブロック（５）  を配列し、各段部（２）  において該縦目地溝（４）  が上側および／または下側の段部（２）  の縦目地溝（４）  と相互連続しないように相互位置をずらし、かつ上側の段部（２）  および／または下側の段部（２）  に配列されている各凸ブロック（５）  の横巾の範囲内には該縦目地溝（４）  を１条のみ割当てた馬目地様のブロック調模様を有する建築板（１）  であって、１段おきの縦目地溝（４）  の位置を縦軸上に重ならないようにランダムにずらした建築板（１）  を提供するものである。
【０００６】
該凸ブロック（５）  の横巾を基準巾Ｌ、基準巾より若干小さい巾の一種または二種以上、基準巾より若干大きい巾の一種または二種以上に設定し、該段部（２）  の縦巾を基準巾Ｗ、基準巾より若干小さい巾の一種または二種以上、基準巾より若干大きい巾の一種または二種以上に設定することが望ましく、１段おきの縦目地溝（４）  の各縦列における縦目地溝（４）  間の最大距離である位置ずれ量Ｄは、上記凸ブロック（５）  の横巾の基準巾の２０％以内とすることが望ましい。更に各段について該凸ブロック（５）  の横巾の異なるものを混在せしめ、かつ同じ縦巾の段部（２）  が上下に相接しないように設定することが望ましい。また該凸ブロック（５）  上面には数種類の表面様式が与えられていることが望ましい。
【０００７】
【作用】
本発明の建築板（１）  の表面の模様にあっては、複数条の横目地溝（３）  を所定の間隔で設けて画定された各段部（２）  のおのおのに複数条の縦目地溝（４）  を介して複数個の凸ブロック（５）  を配列し、各段部（２）  において該縦目地溝（４）  が上側の段部（２）  および／または下側の段部（２）  の縦目地溝（４）  と相互連続しないように相互位置をずらし、かつ上側の段部（２）  および／または下側の段部（２）  に配列されている各凸ブロック（５）  の横巾の範囲内には縦目地溝（４）  を１条のみ割当てるようにされているので、馬目地様の基調は喪失することなく維持されている。
【０００８】
そして１段おきの縦目地溝（４）  の位置を縦軸上に重ならないようにランダムにずらしているので、上記したように馬目地様の基調を維持したまゝ、適度なランダム性が付与される。また板（１）  と板（１）  との縦方向の継目Ｓが目立たなくなる。
【０００９】
該凸ブロック（５）  の横巾を基準巾Ｌ、基準巾より若干小さい巾の一種または二種以上、基準巾より若干大きい巾の一種または二種以上に設定し、該段部（２）  の縦巾を基準巾Ｗ、基準巾より若干小さい巾の一種または二種以上、基準巾より若干大きい巾の一種または二種以上に設定すれば、ブロック調模様に異なった縦横サイズの凸ブロックが配置されていることになり、更に変化性が付されて面白味が強調される。しかし凸ブロック（５）  の横巾および段部（２）  の縦巾は基準巾を定めてそれよりも小さいか大きい横巾または縦巾の１種類または数種類に設定されているので、凸ブロック（５）  は縦横異なったサイズの数種類の組合せになり、図柄即ち型の設計が容易でかつ雑然とした感じになることがないし、建築板（１）  表面をインクジェットで塗装する場合、インクジェットのコンピューター操作のプログラミングも容易になる。
【００１０】
また各段について少なくとも半数の凸ブロック（５）  は同じ横巾にし、かつ同じ縦巾の段部（２）  が上下に相接しないように設定すれば、ランダムさと整然さとがバランスして落着きがあるけれども変化性のある模様となる。
【００１１】
更に上記１段おきの縦目地溝（４）  の各縦列における縦目地溝（４）  間の最大距離である位置ずれ量Ｄは、上記凸ブロック（５）  の横巾の基準巾Ｌの２０％以内とされていると雑然感がなくなり、模様に落ち着きが付与される。
【００１２】
また更に該凸ブロック（５）  上面には数種類の表面様式が与えられていると、凸ブロック（５）  のサイズのみならず表面模様にも変化が付され、面白味が一層増大する。
本発明を以下に詳細に説明する。
【００１３】
【発明の実施の形態】
本発明を図１〜図５に示す一実施例によって説明すれば、建築板（１）  は、例えば木片、木粉、木質パルプ、木質繊維束、木毛等の木質補強材を混合した木質セメント板からなる。
該建築板（１）  の全長は３０３０ｍｍ、働き巾は４５５ｍｍであり、該建築板（１）  には１２条の横目地溝（３）  を所定の間隔で設けることによって１２条の段部（２）  が画定されており、各段部（２）  には１１条ないし１２条の縦目地溝（４）  を介して１２個ないし１３個の凸ブロック（５）  が配列されている。
【００１４】
上記凸ブロック（５）  において、横巾は基準巾Ｌ＝２５２．５ｍｍ（５ｍ）、Ｌ＋ｄＬ＝２６５．０ｍｍ（５ｌ）、Ｌ−ｄＬ＝２４０．０ｍｍ（５ｓ）（こゝにｄＬ＝１２．５ｍｍ）の３種類（ｎ＝１）、各段部（２）  の縦巾は基準巾Ｗ＝３７．９ｍｍ、Ｗ＋ｄＷ＝４２．９ｍｍ、Ｗ−ｄＷ＝３２．９ｍｍ（こゝにｄＷ＝５ｍｍ）の３種類（ｍ＝１）に設定されている。こゝに段部（２）  の縦巾Ｗ，Ｗ±ｄＷとは図２に示すように一方の側の横目地溝（３）  と凸ブロック（５）  の縦巾との和に等しい。最上段の段部（２）  と最下段の段部（２）  を除く各段部（２）  の縦目地溝（４）  は、上側の段部（２）  および下側の段部（２）  に配列されている縦目地溝（４）  と相互に連続しないようにされ、最上段の段部（２）  にあっては、下側の段部（２）  に配列されている縦目地溝（４）  と相互に連続しないようにされ、最下段の段部（２）  にあっては、上側の段部（２）  に配列されている縦目地溝（４）  と相互に連続しないようにされている。更に最上段の段部（２）  と最下段の段部（２）  を除く各段部（２）  にあっては、上側の段部（２）  に配列されている各凸ブロック（５）  および下側の段部（２）  に配列されている各凸ブロック（５）  の横巾の範囲内には１条の縦目地溝（４）  のみ割当て、最上段の段部（２）  にあっては、下側の段部（２）  に配列されている各凸ブロック（５）  の横巾の範囲内には１条の縦目地溝（４）  のみ割当てられ、最下段の段部（２）  にあっては、上側の段部（２）  に配列されている各凸ブロック（５）  の横巾の範囲内には１条の縦目地溝（４）  のみ割当てるようにしている。本実施例にあっては一段おき（偶数段）にＬ，Ｌ＋ｄＬ，Ｌ−ｄＬの横巾を切欠いた端数凸ブロック（５’）を両端に配置して各段長さ３０３０ｍｍの範囲に収まるようにしている。
【００１５】
横巾の基準巾Ｌは３０３０ｍｍ÷１２＝２５２．５ｍｍとして設定され、奇数段にあっては横巾Ｌ＋ｄＬの凸ブロック（５）  （５ｌ）と、Ｌ−ｄＬの凸ブロック（５）  （５ｓ）とが同じ個数（ｋ）だけ配置され、＋ｋｄＬ−ｋｄＬ＝０、したがって長さ３０３０ｍｍの範囲に収まるようにされている。こゝに各奇数段について横巾Ｌの凸ブロック（５）  （５ｍ）の個数をｌとすれば、ｋ＝（１２−ｌ）／２である。本実施例ではｋ＝４に設定されている。即ち横巾Ｌの凸ブロック（５）  （５ｍ）の個数ｌ＝４である。そして段部（２）  の縦巾の基準巾Ｗは４５５÷１２＝３７．９ｍｍとして設定され、Ｗ＋ｄＷの縦巾を有する段部（２）  と、Ｗ−ｄＷの縦巾を有する段部（２）  とは同数（それぞれ４個ずつ）設けられ、働き巾が４５５ｍｍに収まるようにされている。
【００１６】
上記建築板（１）  にあっては、図３に示すように、１段おきの縦目地溝（４）  の位置が縦軸上に重ならないようにランダムにずらされている。この縦目地溝（４）  の位置ずれ量Ｄ、即ち１段おき（１段目、３段目、５段目、７段目、９段目、１１段目および２段目、４段目、６段目、８段目、１０段目、１２段目）の縦目地溝（４）  の各縦列において、最も左側にある縦目地溝（４）  と最も右側にある縦目地溝（４）  との間の距離（縦目地溝（４，４）  間の最大距離）は全縦列で異なっていてもよいし、全縦列あるいは一部の縦列で同じであってもよいが、位置ずれ量Ｄが余り大きくなると、雑然とした模様となるので、これを防ぐために位置ずれ量Ｄは凸ブロック（５）  の横巾の基準巾Ｌの２０％以内とされている。
本実施例では、Ｌ＝２５２．５ｍｍであるからＤはその２０％即ち約５０．５ｍｍの範囲内に収められる。
このように縦目地溝（４）  を配置すると、馬目地調凸ブロック模様に適度なランダム性が付されるし、図３に示すように板（１）  と板（１）  の継目Ｓが目立たなくなる。
【００１７】
更に本実施例では同じ縦巾の段部（２）  が上下相接しないように配置されている。本実施例では１段目Ｗ−ｄＷ（３２．９ｍｍ）、２段目Ｗ＋ｄＷ（４２．９ｍｍ）、３段目Ｗ（３７．９ｍｍ）、４段目Ｗ＋ｄＷ（４２．９ｍｍ）、５段目Ｗ−ｄＷ（３２．９ｍｍ）、６段目Ｗ（３７．９ｍｍ）、７段目Ｗ−ｄＷ（３２．９ｍｍ）、８段目Ｗ（３７．９ｍｍ）、９段目Ｗ＋ｄＷ（４２．９ｍｍ）、１０段目Ｗ（３７．９ｍｍ）、１１段目Ｗ−ｄＷ（３２．９ｍｍ）、１２段目Ｗ＋ｄＷ（４２．９ｍｍ）に設定されている。
【００１８】
なお本実施例では横目地溝（３）  の巾は５〜６ｍｍ、縦目地溝（４）  の巾は２．５〜３．５ｍｍに設定される。
【００１９】
更に本実施例では凸ブロック（５）  の表面様式を２種設定している。即ち１つは表面平滑なミカゲ石調、１つは表面に微細凹凸を形成した天然石調の２つの様式とされる。上記２つの表面様式の比率は２：８〜８：２、望ましくは３：７〜７：３にすると表面の変化が効果的になり、上記２つの表面様式はランダムに散在されており、この状態は例えば図４、図５に示される。図４、図５において、無地ブロックはミカゲ石調、斜線ブロックは天然石調を示す。
【００２０】
本実施例では、凸ブロックの横巾を基準巾Ｌ、Ｌ±ｄＬの３種類、段部の縦巾を基準巾Ｗ、Ｗ±ｄＷの３種類としたので、図柄即ち型の設計が更に容易になり、かつインクジェットのコンピューター操作のプログラミングも更に容易になる。
【００２１】
本実施例以外、建築板全長１２Ｌ、働き巾１２Ｗ、ｎ＝２、ｍ＝２として凸ブロックの横巾の基準巾Ｌ＝２５２．５ｍｍ、Ｌ−ｄＬ＝２４０ｍｍ、Ｌ＋ｄＬ＝２６５ｍｍ（こゝにｄＬ＝１２．５ｍｍ）の３種類、段部の縦巾の基準巾Ｗ＝３７．９ｍｍ、Ｗ−ｄＷ＝３２．９ｍｍ、Ｗ＋ｄＷ＝４２．９ｍｍ（こゝにｄＷ＝５ｍｍ）の３種類として、位置ずれ量ＤはＬの１％、即ち約２．５ｍｍの範囲内に収まるようにされている。
【００２２】
【発明の効果】
本発明では馬目地様のブロック調模様の基調を維持しながら適度な変化を付して面白味がある模様を有する建築板を提供することが出来る。
【図面の簡単な説明】
図１〜図５は本発明の一実施例を示すものである。
【図１】建築板平面図
【図２】凸ブロック部分拡大平面図
【図３】縦目地溝の縦軸上の位置ずれを示す図１における点線囲み部分説明図
【図４】異なった表面様式を有する凸ブロック配列様式の一例を示す説明平面図
【図５】異なった表面様式を有する凸ブロック配列様式の一例を示す説明平面図
【図６】従来例の建築板平面図
【符号の説明】
１            建築板
２      段部
３            横目地溝
４          縦目地溝
５        凸ブロック
Ｄ      位置ずれ量
【図１】
2004300707.tif 000003
【図２】
2004300707.tif 000004
【図３】
2004300707.tif 000005
【図４】
2004300707.tif 000006
【図５】
2004300707.tif 000007
【図６】
2004300707.tif 000008